(57)【要約】      （修正有）【課題】印章の形状に新たな価値を創出した印章の提供、又は印璽の形状に新たな価値を創出する印璽の提供、又はチェス駒の形状に新たな機能を付加させたチェス駒を提供する。【解決手段】Ｓｔは印章であり、Ｓｔ１０は印部であり、Ｓｔ１１は印面であり、Ｓｔ２０は印章把持部であり、Ｓｔ２１はチェスの駒に類似するように形成させたデザインを示している。Ｓｅは印璽であり、Ｓｅ１０は押型部であり、Ｓｅ１１は押型面であり、Ｓｅ２０は印璽把持部であり、Ｓｅ２１はチェスの駒に類似するように形成させたデザインを示している。Ｃｈはチェス駒であり、Ｃｈ１０は接地部であり、Ｃｈ１１は接地部印面であり、Ｃｈ２０はチェス駒把持部であり、Ｃｈ２１はチェス駒のデザインである。Ｃｈはチェス駒であり、Ｃｈ１０は接地部であり、Ｃｈ１２は接地部押型面であり、Ｃｈ２０はチェス駒把持部であり、Ｃｈ２１はチェス駒のデザインである。【選択図】図１
0003167493.tif 000002
【実用新案登録請求の範囲】
【請求項１】
印面が形成された印部と持ち手が形成された把持部からなる印章において、前記印章把持部をチェス駒の把持部に類似するように形成させること、または前記印章がチェス駒として用いることが可能になるように形成させること、を特徴とする印章。
【請求項２】
手紙の封に用いられる封蝋に押し付ける押型部と持ち手が形成された把持部からなる印璽において、前記印璽把持部をチェス駒の把持部に類似するように形成させること、または前記印璽がチェスの駒として用いることが可能になるように形成させること、を特徴とする印璽。
【請求項３】
チェス盤に接地する接地部と持ち手が形成された把持部からなるチェス駒において、前記チェス駒接地部に印章の印面を形成させること、または前記チェス駒が印章として用いることが可能になるように形成させること、を特徴とするチェス駒。
【請求項４】
チェス盤に接地する接地部と持ち手が形成された把持部からなるチェス駒において、前記チェス駒接地部に印璽の押型部を形成させること、または前記チェス駒が印璽として用いることが可能になるように形成させること、を特徴とするチェス駒。
【考案の詳細な説明】
【技術分野】
【０００１】  本考案は、印章をチェス駒として用いることが可能になるように形成させることを特徴とする印章、または印璽をチェスの駒として用いることが可能になるように形成させることを特徴とする印璽、またはチェス駒を印章として用いることが可能になるように形成させることを特徴とするチェス駒、またはチェス駒を印璽として用いることが可能になるように形成させることを特徴とするチェス駒、に関するものである。
【背景技術】
【０００２】  従来から印章（英：Ｓｔａｍｐ）は、木、竹、石、角、象牙、金属、合成樹脂などを素材として、その一面に文字やシンボルを彫刻し、個人・官職・団体のしるしとして公私の文書に押して特有の痕跡（印影・印痕）を残すことにより、その責任や権威を証明するもの。印、判、印判、印形、印顆、印信、判子ともいい、紙などに印章を押したあとを印影という。また、印章を押すことを押印、捺印、押捺という。であることが一般的に知られている。（フリー百科事典『ウィキペディア（Ｗｉｋｉｐｅｄｉａ）より引用する』【０００３】  また従来から印璽は、シーリングスタンプ（英：Ｓｅａｌｉｎｇ  ｓｔａｍｐ）とも呼ばれ、蝋（一般的には着色され棒状のものが多い）を蝋燭などの火で炙って溶かし、封筒や手紙の蓋の上に垂らし、蝋が固まる前に素早く押し付けて封蝋（シーリングワックス、英：Ｓｅａｌｉｎｇ  ｗａｘ）されるのに用いられる印章のような形状の型のことを示している。欧米では、この印璽に差出人個人やその人物の家系のシンボルを刻み、手紙の差出人を証明する証として用いられてきた。また印璽は、例えば封筒や手紙や文書の場合は、この上に印璽（この場合は「シール」（英：Ｓｅａｌ）とも表現される）で刻印することで、中身が手つかずである証明を兼ねる場合がある。ということが一般的に知られている。（フリー百科事典『ウィキペディア（Ｗｉｋｉｐｅｄｉａ）より引用する』【０００４】  また従来からチェス駒は、先手・後手の２人のプレイヤーで行うボードゲームの一種であるチェス（英：Ｃｈｅｓｓ）で使用され、先手（白）・後手（黒）それぞれ６種類１６個で構成され、全体の駒の数は白黒合わせて３２個用いられる。チェス駒の６種類の駒は夫々動き方が異なり、キング、クイーン、ルーク、ビショップ、ナイト、ポーン、で構成される。また、チェスは、縦横８マスずつに区切られた、市松模様の正方形のチェス盤（チェスボード）の上で行われ、白が先手、黒が後手となり、先手・後手それぞれこの駒を使って、敵のキングを追いつめるゲームである。その文化的背景などから、チェスプレイヤーの間では、チェスは「ゲーム（ゲーム理論では、二人零和有限確定完全情報ゲームに分類される）」であると同時に「スポーツ（ＡＲＩＳＦ加盟ＩＯＣ承認スポーツである）」でも「芸術」でも「科学」でもあるとされ、ゲームに勝つためにはこれらのセンスを総合する能力が必要であると言われている。（フリー百科事典『ウィキペディア（Ｗｉｋｉｐｅｄｉａ）より引用する』
また、上述したチェスゲームの理論化とコンピュータの開発の歴史とは密接に関係しており、例えば、コンピュータの理論科学で著名なクロード・シャノンによるチェスゲームの理論は良く知られている。また、コンピュータにチェスをさせるという試みはコンピュータの黎明期から行なわれており、コンピュータの歴史と、コンピュータチェスの歴史は並行して歩んできた、ということは公知になっている。したがって、チェスゲームは西洋の技術的思想の発展に大きく寄与したと考えられている。（フリー百科事典『ウィキペディア（Ｗｉｋｉｐｅｄｉａ）より引用する』
【考案の開示】
【考案が解決しようとする課題】
【０００５】  ところが、従来からの印章（Ｓｔａｍｐ）は、西暦５７年ごろに古代中国から日本に送られたとされ、１７８４年に発見された「漢委奴国王」の金印が最古のものとして有名であり、８世紀の大化の改新の後頃から、律令の制定とともに印章が使用されるようになり、明治時代になってから一般的な国民に使用されるようになって、現在に至るまでの約二千年間、使用目的や使用方法に関しては、それほど目新しい進化が成されてこなかった。また近年では、文書の電子化やＩＴ化に伴って電子印鑑も登場し、従来の“印章”としての役割が減少傾向にあることが業界で問題になり、印章の新しい用途開発が課題とされるようになってきた。【０００６】  また、従来からの印璽（Ｓｅａｌｉｎｇ  ｓｔａｍｐ）は、中世ヨーロッパにおいて、使用されるようになったと言われ、例えば封筒や手紙の封蝋（Ｓｅａｌｉｎｇ  ｗａｘ）に用いられる場合は封筒や手紙の差出人を証明する証として用いられたり、また例えば封筒や手紙や文書の上に印璽（Ｓｅａｌ）で刻印する場合は中身が手つかずである証明として用いられたり、また例えば欧米ではウイスキーやブランデーなどの高級酒の封にも手紙と同様の封蝋を手作業で施すこと用いられたり、また例えば封蝋を模した印刷物や樹脂製のパッチでリボンを留めるのに用いて製造者の証明とともに高級感の演出として用いられることがあった。ところが我が国では、これらの使用例は一部のマニアの間には知られているが、一般的な消費者にまで知られているレベルではないことが報告されている。したがって、封蝋と印璽は日本でも輸入文房具を扱う文房具店や通信販売やインターネットなどでも購入することができるが、普及率の拡大が課題となっている。【０００７】  また、従来からのチェス又はチェス駒に関して、例えばチェスの起源には諸説があるが、一般的には、紀元前の古代インドの戦争ゲーム、「チャトランガ」が起源であると言われ、それからペルシアに伝えられて「シャトランジ」と名を変え、８世紀にはロシアに伝えられ、約１００年遅れて西ヨーロッパへ伝わり、１５世紀末、ルイス・デ・ルセナによるヨーロッパ最初のチェスの本、「チェスの技術」が出版され、１６世紀頃になると、ほぼ現在と同じルールに固定され、「アンパッサン」、「ツークツワンク」、「キャスリング」などの語が示すように、ヨーロッパ各地でルールが発展し、１７世紀頃には、チェスは一般的な娯楽として普及し資産家をスポンサーとして競技されるようになり、現在では欧米圏のみならず、全世界１５０か国以上で楽しまれ、カードゲームなども含めたゲーム全般においても、ブリッジと並んで最も多くプレイされている、ことが一般的に知られている。ところが、我が国においては、上記の「チャトランガ」が起源であるとされる「将棋」の方が遥かに競技人口が多く、また将棋とチェスは基本的なルールが似ていることから、チェスは西洋将棋と訳されることもある。したがって、チェスもチェス駒も認知度は将棋には及ばず、我が国のチェス愛好家又はチェスプレイヤー又は業界関係者の間では、我が国でどうしたらもっとチェスを普及又は認知度を向上させることが出来るか、ということが課題となっている。【０００８】  本考案は、上記の印章に関する課題を解決するために成されたものであり、印章に西洋の技術的思想の原点を付加させることによって、印章の形状に新たな価値を創出した印章の提供を目的とする。
また本考案は、上記の印璽（Ｓｅａｌｉｎｇ  ｓｔａｍｐ）に関する課題を解決するために成されたものであり、印璽の形状に従来にない技術的思想を付加させることによって新たな価値を創出する印璽の提供を目的とする。
また本考案は、上記のチェス駒に関する課題を解決するために成されたものであり、チェス駒の形状に我が国の技術的思想を付加させることによって我が国のチェスの普及率を向上させることが可能なチェス駒の提供を目的とする。
【課題を解決するための手段】
【００１０】  課題を解決するための第一の手段（請求項１）は、印面が形成された印部と持ち手が形成された把持部からなる印章において、前記印章把持部をチェス駒の把持部に類似するように形成させること、または前記印章がチェス駒として用いることが可能になるように形成させること、を特徴とする印章を提供することである。【００１１】  課題を解決するための第一の手段で記載した印章（Ｓｔａｍｐ）に関しては、印面に文字や記号や図形やこれらの組み合わせを彫刻し、個人・官職・団体のしるしとして公私の文書に押して特有の痕跡（印影・印痕）を残すことにより、その責任や権威を証明するものであり、印、判、印判、印形、印顆、印信、判子、印鑑ともいい、紙などに印章を押したあとを印影という。また、印章を押すことを押印、捺印、押捺という。次に前記印章の材質としては、木（木質系であれば何を用いても構わない）、竹（竹類であれば何を用いても構わない）、宝石（宝石類であれば何を用いても構わない）、鉱物（鉱物類であれば何を用いても構わない）、石英（石英系であれば何を用いても構わない）、水晶（水晶系であれば何を用いても構わない）、セラミックス系、動物の角、動物の牙、金属（金属類であれば何を用いても構わない）、合成樹脂（合成樹脂類であれば何を用いても構わない）などを素材として、単独で用いても組合わせて用いても構わない。【００１２】  課題を解決するための第一の手段で記載したチェス駒に関しては、白色で６種類１６個と黒色で６種類１６個で構成され、全体の駒の数は合わせて３２個用いられる。チェス駒の６種類の駒は夫々動き方が異なり、キング、クイーン、ルーク、ビショップ、ナイト、ポーン、で構成される。二人のチェスプレイヤーは、交互にチェス盤上にある自分のチェス駒を１回ずつ動かし、パスをすることはできない。味方のチェス駒の動ける範囲に敵のチェス駒があれば、それを取ることができる。敵のチェス駒を取ったチェス駒は、取られたチェス駒のあったマスへ移動する。取られたチェス駒はチェス盤上から取りのぞく。ほとんどのチェス駒は、他のチェス駒を飛び越して移動することはできない。ただし、ナイトは例外となっている。キングは、敵のチェス駒が効いている場所には移動することができない。相手のキングに、自分のチェス駒を効かせて取ろうとする手を「チェック」と呼ぶ。キングが絶対に逃げられないように追い詰めたチェックのことを、「チェックメイト」と呼ぶ。双方のプレイヤーは、相手のキングをチェックメイトすることを目指す。【００１３】  課題を解決するための第一の手段で記載した前記印章把持部をチェス駒の把持部に類似するように形成させることに関しては、前記印章把持部の形状が、チェス駒の、キングの形状、クイーンの形状、ルークの形状、ビショップの形状、ナイトの形状、ポーンの形状、などに類似した形状になっていれば、その形成手段に関しては特に制限は設けないものとする。すなわち物体を加工する技術で一般的に知られた加工技術であれば概ね利用できるものとする。
課題を解決するための第一の手段で記載した前記印章がチェス駒として用いることが可能になるように形成させることに関しては、前記印章を、例えばチェス駒のキングの形状、例えばチェス駒のクイーンの形状、例えばチェス駒のルークの形状、例えばチェス駒のビショップの形状、例えばチェス駒のナイトの形状、例えばチェス駒のポーンの形状、などに類似した形状になるように形成させ、縦横８マスずつに区切られた市松模様の正方形のチェス盤（チェスボード）の上で、例えばチェス駒のキングの形状に類似した印章、例えばチェス駒のクイーンの形状に類似した印章、例えばチェス駒のルークの形状に類似した印章、例えばチェス駒のビショップの形状に類似した印章、例えばチェス駒のナイトの形状に類似した印章、例えばチェス駒のポーンの形状に類似した印章、などを用いて一般的なチェスのゲームが成立するようになっていればよい。【００１４】  課題を解決するための第二の手段（請求項２）は、手紙の封に用いられる封蝋に押し付ける押型部と持ち手が形成された把持部からなる印璽において、前記印璽把持部をチェス駒の把持部に類似するように形成させること、または前記印璽がチェスの駒として用いることが可能になるように形成させること、を特徴とする印璽を提供することである。【００１５】  課題を解決するための第二の手段で記載した印璽（Ｓｅａｌｉｎｇ  ｓｔａｍｐ）に関しては、例えば欧米における公証人（Ｎｏｔａｒｙ  ｐｕｂｌｉｃ）が署名とともに用いるものもノータリーシール（Ｎｏｔａｒｙ  Ｓｅａｌ）と呼ばれ、封蝋の印璽に似たシンボルのエンボス印を押す場合が知られているが、本考案ではこのノータリーシールも印璽の範疇に入れるものとする。次に前記印璽の材質としては、木（木質系であれば何を用いても構わない）、竹（竹類であれば何を用いても構わない）、宝石（宝石類であれば何を用いても構わない）、鉱物（鉱物類であれば何を用いても構わない）、石英（石英系であれば何を用いても構わない）、水晶（水晶系であれば何を用いても構わない）、セラミックス系、動物の角、動物の牙、金属（金属類であれば何を用いても構わない）、合成樹脂（合成樹脂類であれば何を用いても構わない）などを素材として、単独で用いても組合わせて用いても構わない。
また【００１６】  課題を解決するための第二の手段で記載したチェス駒に関しては、課題を解決するための第一の手段で記載したチェス駒に関しての記述を用いるものとする。
課題を解決するための第二の手段で記載した前記印璽把持部をチェス駒の把持部に類似するように形成させることに関しては、前記璽把把持部の形状が、チェス駒の、キングの形状、クイーンの形状、ルークの形状、ビショップの形状、ナイトの形状、ポーンの形状、などに類似した形状になっていれば、その形成手段に関しては特に制限は設けないものとする。すなわち物体を加工する技術で一般的に知られた加工技術であれば概ね利用できるものとする。
課題を解決するための第二の手段で記載した前記印璽がチェスの駒として用いることが可能になるように形成させることに関しては、前記印璽を、例えばチェス駒のキングの形状、例えばチェス駒のクイーンの形状、例えばチェス駒のルークの形状、例えばチェス駒のビショップの形状、例えばチェス駒のナイトの形状、例えばチェス駒のポーンの形状、などに類似した形状になるように形成させ、縦横８マスずつに区切られた市松模様の正方形のチェス盤（チェスボード）の上で、例えばチェス駒のキングの形状に類似した印璽、例えばチェス駒のクイーンの形状に類似した印璽、例えばチェス駒のルークの形状に類似した印璽、例えばチェス駒のビショップの形状に類似した印璽、例えばチェス駒のナイトの形状に類似した印璽、例えばチェス駒のポーンの形状に類似した印璽、などを用いて一般的なチェスのゲームが成立するようになっていればよい。【００１７】  課題を解決するための第三の手段（請求項３）は、チェス盤に接地する接地部と持ち手が形成された把持部からなるチェス駒において、前記チェス駒接地部に印章の印面を形成させること、または前記チェス駒が印章として用いることが可能になるように形成させること、を特徴とするチェス駒を提供することである。【００１８】  課題を解決するための第三の手段で記載したチェス駒に関しては、課題を解決するための第一の手段または課題を解決するための第二の手段で記載したチェス駒に関しての記述を用いるものとする。
課題を解決するための第三の手段で記載した前記チェス駒接地部に印章の印面を形成させることに関しては、印章が印面に文字や記号や図形やこれらの組み合わせを彫刻し、個人・官職・団体のしるしとして公私の文書に押して特有の痕跡（印影・印痕）を残すことにより、その責任や権威を証明するものであり、印、判、印判、印形、印顆、印信、判子、印鑑ともいい、紙などに印章を押したあとを印影といい、印章を押すことを押印、捺印、押捺というので、前記チェス駒接地部に上述した印章の印面の機能を形成させることが可能ならばその形成手段に関しては特に制限は設けないものとする。すなわち物体を加工する技術で一般的に知られた加工技術であれば概ね利用できるものとする。【００１９】  課題を解決するための第三の手段で記載した前記チェス駒が印章として用いることが可能になるように形成させることに関しては、前記チェス駒の任意の部位に印章の印面になるように形成させることが可能ならばその形成手段に関しては特に制限は設けないものとする。すなわち物体を加工する技術で一般的に知られた加工技術であれば概ね利用できるものとする。また前記印面に文字や記号や図形やこれらの組み合わせを彫刻し、個人・官職・団体のしるしとして公私の文書に押して特有の痕跡（印影・印痕）を残すことにより、その責任や権威を証明することが可能であれば前記印面の形成手段に関しては特に制限は設けないものとする。すなわち物体の表面を立体的に加工する技術で一般的に知られた加工技術であれば概ね利用できるものとする。【００２０】  課題を解決するための第四の手段（請求項４）は、チェス盤に接地する接地部と持ち手が形成された把持部からなるチェス駒において、前記チェス駒接地部に印璽の押型部を形成させること、または前記チェス駒が印璽として用いることが可能になるように形成させること、を特徴とするチェス駒を提供することである。【００２１】  課題を解決するための第四の手段で記載したチェス駒に関しては、課題を解決するための第一の手段または課題を解決するための第二の手段で記載したチェス駒に関しての記述を用いるものとする。
課題を解決するための第四の手段で記載した印璽に関しては、課題を解決するための第二の手段で記載した印璽に関しての記述を用いるものとする。
課題を解決するための第四の手段で記載した前記チェス駒接地部に印璽の押型部を形成させることに関しては、印璽が押型部に文字や記号や図形やこれらの組み合わせを彫刻または刻設または形成または食刻し、前記印璽が前記押型部を封筒や手紙の蓋の上に垂らした蝋が固まる前に素早く押し付けて封蝋されることで封筒や手紙の差出人を証明する証として用いたり、また封筒や手紙や文書の上に印璽で刻印する場合は中身が手つかずである証明として用いたりするので、前記チェス駒接地部に前記印璽の前記押型部の機能を形成させることが可能ならばその形成手段に関しては特に制限は設けないものとする。すなわち物体表面を加工する技術で一般的に知られた加工技術であれば概ね利用できるものとする。【００２２】  課題を解決するための第四の手段で記載した前記チェス駒が印璽として用いることが可能になるように形成させることに関しては、前記チェス駒の任意の部位に前記印璽の前記押型部の機能を形成させることが可能ならばその形成手段に関しては特に制限は設けないものとする。すなわち物体の表面を立体的に加工する技術で一般的に知られた加工技術であれば概ね利用できるものとする。
【考案の効果】
【００２３】  請求項１の考案によって、印章の印部が一般的な印章（Ｓｔａｍｐ）として機能しながら印章の把持部をチェス駒の把持部に類似するように形成させてあるので、完全に印章としての機能を備える印章でありながらチェス駒の形態を併せ持つという新規性によって、チェスの愛好者又はチェスプレイヤー又は業界関係者に対してチェス駒の新製品または新商品として購買意欲を喚起させることができ、また従来の印章にはマンネリを感じている消費者や複数の印章を所有することに対して必要性を感じていない消費者に対しては印章の新製品または新商品として購買意欲を喚起させることが可能な印章の提供が可能になる。【００２４】  請求項２の考案によって、印璽（Ｓｅａｌｉｎｇ  ｓｔａｍｐ）の押型部が一般的な印璽として機能しながら印璽の把持部をチェス駒の把持部に類似するように形成させてあるので、印璽でありながらチェス駒であるという新規性によって、チェスの愛好者又はチェスプレイヤー又は業界関係者に対してチェス駒の新製品または新商品として購買意欲を喚起させることができ、また従来の印璽には消費者への知名度が不足しているので、チェスのマーケットを利用して印璽の販売量を向上させることが可能な印璽の提供が可能になる。【００２５】  請求項３の考案によって、一般的なチェス愛好家又はチェスプレイヤー又は業界関係者が本考案のチェス駒をゲームに用いても違和感なく使用できるチェス駒でありながら、前記チェス駒接地部に印章の印面を形成させることで、印章の持つ機能を全て備えることの新規性によって、チェスの愛好者又はチェスプレイヤー又は業界関係者に対してチェス駒の新製品または新商品として購買意欲を喚起させることができ、また従来の印章にはマンネリを感じている消費者や複数の印章を所有することに対して必要性を感じていない消費者に対して、印章の新製品または新商品として購買意欲を喚起させることが可能なチェス駒の提供が可能になる。【００２６】  請求項４の考案によって、一般的なチェス愛好家又はチェスプレイヤー又は業界関係者が本考案のチェス駒をゲームに用いても違和感なく使用できるチェス駒でありながら、前記チェス駒接地部に印璽（Ｓｅａｌｉｎｇ  ｓｔａｍｐ）の押型部を形成させることで、印章の持つ機能を全て備えることの新規性によって、チェスの愛好者又はチェスプレイヤー又は業界関係者に対してチェス駒の新製品または新商品として購買意欲を喚起させることができ、また従来の印璽にはマンネリを感じている消費者や複数の印璽を所有することに対して必要性を感じていない消費者に対して、印璽の新製品または新商品として購買意欲を喚起させることが可能なチェス駒の提供が可能になる。【００２７】  本考案の印章又は印璽又はチェス駒によって、西洋的技術的思想と東洋的技術的思想を融合させた製品又は商品を市場に提供できることで、世界で初めて西洋的技術的思想と東洋的技術的思想を融合させることに成功したと言われている日本のモノづくり思想の原点に繋がり、我が国の停滞気味のモノづくりの現場の活性化の一助になり、更に、従来の印章又は印璽にチェス駒の意味や動きを潜在させることになり、チェスゲームのストーリー展開や設定の楽しさを潜在させた印章���は印璽を提供することができる。【００２８】  本考案の印章又はチェス駒を一般的に多用される“認印・銀行印・実印・代表印”サイズに形成することによって、本考案の所有者は日常の押印作業の中で、中世の西洋文化が醸す気品のある雰囲気を楽しむことができ、また日常の押印作業の中で、本考案の印章又はチェス駒の把持部が手になじみ把持し易い形状の印章を提供できることで押印ミスを減少させることが可能な印章又はチェス駒を提供できる。【００２９】  現在一般的に市販されている印章の把持部の形状が円筒形や円柱形である場合が多いので、例えば本考案の印章の把持部の形状がチェス駒になっていることで、また例えば本考案のチェス駒の接地部に印章の印面を形成させることで、意匠的に新規な印章を提供できるので、本考案の取扱い業者は同業他社との差別化が図れ、また本考案の取扱い業者は本考案の印章又はチェス駒を完成品としてだけでなく印材として製品供給が可能である。
【考案を実施するための最良の形態】
【００３０】  以下、本考案の印章又は印璽又はチェス駒の実施の形態について、図１に基づいて説明する。図１は本考案の印章又は印璽又はチェス駒の実施の形態例を示す斜視図である。【００３１】  図１より請求項１の実施例では、Ｓｔは印面が形成された印部と持ち手が形成された把持部からなる印章であり、Ｓｔ１０は印章Ｓｔの印部であり、Ｓｔ１１は印部Ｓｔ１０に形成され任意の文字や記号や図形やこれらの組合せが印影になるように形成された印面であり、Ｓｔ２０は印章Ｓｔの押印作業のために利用者が把持できるように形成された印章把持部であり、Ｓｔ２１は印章Ｓｔ又は印章把持部Ｓｔ２０がチェスの駒に類似するように又はチェス駒として機能するように形成させるデザインを示している。またチェス駒デザインＳｔ２１は、キングの形状、クイーンの形状、ルークの形状、ビショップの形状、ナイトの形状、ポーンの形状、などから選択される。またチェス駒デザインＳｔ２１は、キング形状の一部、クイーン形状の一部、ルーク形状の一部、ビショップ形状の一部、ナイト形状の一部、ポーン形状の一部、などから選択される。
また図１より請求項２の実施例では、Ｓｅは手紙の封に用いられる封蝋に押し付ける押型部と持ち手が形成された把持部からなる印璽であり、Ｓｅ１０は印璽Ｓｅの押型部であり、Ｓｅ１１は押型部Ｓｅ１０に形成され任意の文字や記号や図形やこれらの組合せが封蝋に押し付けられるように形成された押型面であり、Ｓｅ２０は印璽Ｓｅの封蝋への押し付け作業のために利用者が把持できるように形成された印璽把持部であり、Ｓｅ２１は印璽Ｓｅ又は印璽把持部Ｓｅ２０がチェスの駒に類似するように又はチェス駒として機能するように形成させるデザインを示している。またチェス駒デザインＳｅ２１は、キングの形状、クイーンの形状、ルークの形状、ビショップの形状、ナイトの形状、ポーンの形状、などから選択される。またチェス駒デザインＳｅ２１は、キング形状の一部、クイーン形状の一部、ルーク形状の一部、ビショップ形状の一部、ナイト形状の一部、ポーン形状の一部、などから選択される。
また図１より請求項３の実施例では、Ｃｈはチェス盤に接地する接地部と持ち手が形成された把持部からなるチェス駒であり、Ｃｈ１０はチェス駒Ｃｈの接地部であり、Ｃｈ１１は接地部Ｃｈ１０に形成され任意の文字や記号や図形やこれらの組合せを印章の印面のような作用、すなわち印影として作用するように形成された接地部印面であり、Ｃｈ２０はチェス駒Ｃｈの押印作業のために利用者が把持できるように形成されたチェス駒把持部であり、Ｃｈ２１はチェス駒Ｃｈ又はチェス駒把持部Ｃｈ２０のデザインを示している。またチェス駒デザインＣｈ２１は、キングの形状、クイーンの形状、ルークの形状、ビショップの形状、ナイトの形状、ポーンの形状、などから選択される。またチェス駒デザインＣｈ２１は、キング形状の一部、クイーン形状の一部、ルーク形状の一部、ビショップ形状の一部、ナイト形状の一部、ポーン形状の一部、などから選択される。
また図１より請求項４の実施例では、Ｃｈはチェス盤に接地する接地部と持ち手が形成された把持部からなるチェス駒であり、Ｃｈ１０はチェス駒Ｃｈの接地部であり、Ｃｈ１２は接地部Ｃｈ１０に形成され任意の文字や記号や図形やこれらの組合せを印璽の押型部のような作用、すなわち手紙の封に用いられる封蝋に押し付ける押型として作用するように形成された接地部押型面であり、Ｃｈ２０はチェス駒Ｃｈを封蝋に押し付ける押型として作業するために利用者が把持できるように形成したチェス駒把持部であり、Ｃｈ２１はチェス駒Ｃｈ又はチェス駒把持部Ｃｈ２０のデザインを示している。またチェス駒デザインＣｈ２１は、キングの形状、クイーンの形状、ルークの形状、ビショップの形状、ナイトの形状、ポーンの形状、などから選択される。またチェス駒デザインＣｈ２１は、キング形状の一部、クイーン形状の一部、ルーク形状の一部、ビショップ形状の一部、ナイト形状の一部、ポーン形状の一部、などから選択される。
【実施例１】
【００３２】  請求項１又は課題を解決するための第一の手段で記載した事項の実施の形態例を図１を用いて説明する。印章Ｓｔの素材に関しては十分な強度と耐久性があれば何を用いても構わないが例えば金属であればチタンまたはチタン合金の使用が好ましく、印章Ｓｔの素材がチタンまたはチタン合金の場合ではチェス駒デザインＳｔ２１になるように設計・加工された金型またはチェス駒デザインＳｔ２１に形成されるような数値データを用いて、一般的に知られた金属加工手段や金属成形手段を用いればよい。印部Ｓｔ１０の平面形状は、円形を選択しているが任意形状でも構わない。印面Ｓｔ１１は任意の文字や記号や図形やこれらの組合せから選択でき、図１では漢字の八の字を形成させている。印面Ｓｔ１１の八の字の形成手段に関しては、印面Ｓｔ１１を押印して印影が八の字になればどんな形成手段でも構わない。印章Ｓｔ又は印章把持部Ｓｔ２０のチェス駒デザインＳｔ２１は、図１ではキングの形状又はキング形状の一部を示している。
【実施例２】
【００３３】  請求項２又は課題を解決するための第二の手段で記載した事項の実施の形態例を図１を用いて説明する。印璽Ｓｅの素材に関しては十分な強度と耐久性があれば何を用いても構わないが例えば金属であればチタンまたはチタン合金の使用が好ましく、印璽Ｓｅの素材がチタンまたはチタン合金の場合ではチェス駒デザインＳｅ２１になるように設計・加工された金型またはチェス駒デザインＳｅ２１に形成されるような数値データを用いて、一般的に知られた金属加工手段や金属成形手段を用いればよい。押型部Ｓｅ１０の平面形状は円形を選択しているが任意形状でも構わない。押型面Ｓｅ１１は任意の文字や記号や図形やこれらの組合せから選択でき、図１では漢字の八の字を形成させている。押型面Ｓｅ１１の八の字の形成手段に関しては、押型面Ｓｅ１１を封筒や手紙の蓋の上に垂らした蝋が固まる前に素早く押し付けて押し付け面が八の字に形成されるように封蝋したり、又は押型面Ｓｅ１１を封筒や手紙や文書の上に押し付けて押し付け面が八の字に形成されるように刻印したり、することができれば押型面Ｓｅ１１はどんな形成手段でも構わない。印璽Ｓｅ又は印璽把持部Ｓｅ２０のチェス駒デザインＳｅ２１は、図１ではキングの形状又はキング形状の一部を示している。
【実施例３】
【００３４】  請求項３又は課題を解決するための第三の手段で記載した事項の実施の形態例を図１を用いて説明する。チェス駒Ｃｈの素材に関しては十分な強度と耐久性があれば何を用いても構わないが例えば金属であればチタンまたはチタン合金を選択した場合では金型または数値データを用いて一般的に知られた金属加工手段や金属成形手段を用いればよい。接地部Ｃｈ１０の平面形状は円形を選択しているが任意形状でも構わない。接地部印面Ｃｈ１１は任意の文字や記号や図形やこれらの組合せから選択でき、図１では漢字の八の字を形成させている。接地部印面Ｃｈ１１の八の字の形成手段に関しては、接地部印面Ｃｈ１１を押印して印影が八の字になればどんな形成手段でも構わない。チェス駒Ｃｈ又はチェス駒把持部Ｃｈ２０のチェス駒デザインＣｈ２１は、図１ではキングの形状又はキング形状の一部を示している。
【実施例４】
【００３５】  請求項４又は課題を解決するための第四の手段で記載した事項の実施の形態例を図１を用いて説明する。チェス駒Ｃｈの素材に関しては十分な強度と耐久性があれば何を用いても構わないが例えば金属であればチタンまたはチタン合金を選択した場合では金型または数値データを用いて一般的に知られた金属加工手段や金属成形手段を用いればよい。接地部Ｃｈ１０の平面形状は円形を選択しているが任意形状でも構わない。接地部押型面Ｃｈ１２は任意の文字や記号や図形やこれらの組合せから選択でき、図１では漢字の八の字を形成させている。接地部押型面Ｃｈ１２の八の字の形成手段に関しては、接地部押型面Ｃｈ１２を封筒や手紙の蓋の上に垂らした蝋が固まる前に素早く押し付けて押し付け面が八の字に形成されるように封蝋したり、又は接地部押型面Ｃｈ１２を封筒や手紙や文書の上に押し付けて押し付け面が八の字に形成されるように刻印したり、することができれば接地部押型面Ｃｈ１２はどんな形成手段でも構わない。チェス駒Ｃｈ又はチェス駒把持部Ｃｈ２０のチェス駒デザインＣｈ２１は、図１ではキングの形状又はキング形状の一部を示している。
【実施例５】
【００３６】  請求項１又は課題を解決するための第一の手段で記載した事項の応用例を図１を用いて説明する。印章Ｓｔの素材にチタンまたはチタン合金を使用した場合では、印面Ｓｔ１１には相当な強度と耐久性があることは一般的にも知られているが、本考案の発明者はこの印面Ｓｔ１１の持つ強度と耐久性が印璽（Ｓｅａｌｉｎｇ  ｓｔａｍｐ）としても使えるかもしれないという仮説を見出し実施してみた。例えば、印面Ｓｔ１１を封筒や手紙の蓋の上に垂らした蝋が固まる前に素早く押し付けてみたら、印面Ｓｔ１１の八の字が固化した蝋に形成され封筒や手紙の蓋が封蝋され十分に印璽としての機能があることを見出した。また例えば、印面Ｓｔ１１を封筒や手紙や文書の上に押し付けて押し付けてみたら、印面Ｓｔ１１の八の字が封筒や手紙や文書の上に刻印され十分に印璽としての機能があることを見出した。
【実施例６】
【００３７】  請求項２又は課題を解決するための第二の手段で記載した事項の応用例を図１を用いて説明する。印璽Ｓｅの素材にチタンまたはチタン合金を使用した場合では、押型面Ｓｅ１１には相当な強度と耐久性があることは一般的にも知られているが、チタンまたはチタン合金には他の金属と比較して比較的親水性を備えていることを本考案の発明者は見出した。そこで、本考案の発明者はこの押型面Ｓｅ１１の持つ親水性が印章としても使えるかもしれないという仮説を見出し実施してみた。例えば、押型面Ｓｅ１１を一般的に用いられている印章用の朱肉押し付けた後に紙などに押型面Ｓｅ１１を押した跡には八の字の印影が形成され、十分に印章としての機能があることを見出した。
【実施例７】
【００３８】  請求項３又は課題を解決するための第三の手段で記載した事項の応用例を図１を用いて説明する。チェス駒Ｃｈの素材にチタンまたはチタン合金を使用した場合では、接地部印面Ｃｈ１１には相当な強度と耐久性があることは一般的にも知られているが、本考案の発明者はこの接地部印面Ｃｈ１１の持つ強度と耐久性がチェス駒Ｃｈがキングの形状のチェス駒なのに印章としても機能するという特徴があったがさらに印璽（Ｓｅａｌｉｎｇ  ｓｔａｍｐ）としても使えるかもしれないという仮説を見出し実施してみた。例えば、接地部印面Ｃｈ１１を封筒や手紙の蓋の上に垂らした蝋が固まる前に素早く押し付けてみたら、接地部印面Ｃｈ１１の八の字が固化した蝋に形成され封筒や手紙の蓋が封蝋され十分に印璽としての機能があることを見出した。また例えば、接地部印面Ｃｈ１１を封筒や手紙や文書の上に押し付けて押し付けてみたら、接地部印面Ｃｈ１１の八の字が封筒や手紙や文書の上に刻印され十分に印璽としての機能があることを見出した。
【実施例８】
【００３９】  請求項４又は課題を解決するための第四の手段で記載した事項の応用例を図１を用いて説明する。チェス駒Ｃｈの素材にチタンまたはチタン合金を使用した場合では、接地部押型面Ｃｈ１２には相当な強度と耐久性があることは一般的にも知られているが、チタンまたはチタン合金には他の金属と比較して比較的親水性を備えていることを本考案の発明者は見出した。そこで、本考案の発明者はこの接地部押型面Ｃｈ１２の持つ強度と耐久性と親水性がチェス駒Ｃｈがキングの形状のチェス駒なのに印璽（Ｓｅａｌｉｎｇ  ｓｔａｍｐ）としても機能するという特徴があったがさらに印章としても使えるかもしれないという仮説を見出し実施してみた。例えば、接地部押型面Ｃｈ１２を一般的に用いられている印章用の朱肉押し付けた後に紙などに接地部押型面Ｃｈ１２を押した跡には八の字の印影が形成され、十分に印章としての機能があることを見出した。【００４０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００４１】  本考案の印章はチェス駒としてチェスゲームにも使用できる印章でありながら印璽（Ｓｅａｌｉｎｇ  ｓｔａｍｐ）としても使える印章であり、また本考案の印璽（Ｓｅａｌｉｎｇ  ｓｔａｍｐ）はチェス駒としてチェスゲームにも使用できる印璽でありながら印章としても使える印章であり、また本考案のチェス駒は印章として機能するチェス駒でありながら印璽（Ｓｅａｌｉｎｇ  ｓｔａｍｐ）としても使えるチェス駒であり、また本考案のチェス駒は印璽（Ｓｅａｌｉｎｇ  ｓｔａｍｐ）として機能するチェス駒でありながら印章としても使える印章である、という特徴を持つので、本考案の「印章又は印璽又はチェス駒」は、「印章でもあり印璽でもあるチェス駒」としての商品、「印璽でもあり印章でもあるチェス駒」としての商品、「チェス駒でもあり印章でもある印璽」としての商品、「チェス駒でもあり印璽でもある印章」としての商品、などを生み出す可能性があり、すなわち一つの商品で印章のマーケット、印璽のマーケット、チェス駒のマーケット、を活性化できることによって、我が国の産業の発展に寄与する。
【図面の簡単な説明】
【００４２】
【図１】本考案の実施の形態例を示す斜視図である。
【符号の説明】
【００４３】Ｓｔ：印章    Ｓｔ１０：印部    Ｓｔ１１：印面    Ｓｔ２０：印章把持部
Ｓｔ２１：チェス駒デザイン
Ｓｅ：印璽    Ｓｅ１０：押型部    Ｓｅ１１：押型面    Ｓｅ２０：印璽把持部
Ｓｅ２１：チェス駒デザイン
Ｃｈ：チェス駒    Ｃｈ１０：接地部    Ｃｈ１１：接地部印面
Ｃｈ２０：チェス駒把持部    Ｃｈ２１：チェス駒デザイン
Ｃｈ１２：接地部押型面
【図１】
0003167493.tif 000003